(57)【要約】【課題】片手で容易にロール紙を切ること、ロール紙をセットできることを目的とする。【解決手段】ホルダー１内の上部に回転軸３Bを持つ可動板３を設け、その可動板３は回転軸３Bより奥の先端に紙押さえ部３Cを、回転軸３Bより手前の先端に切刃３Aを設けてほぼ水平に設置した。片手でロール紙５を切るときは、可動板３の上のロール紙５を手前に引き出し、その手を下方に動かすと、可動板３の梃子の作用で可動板３の紙押さえ部３Cがロール紙５をホルダー１の上蓋下面１Aに押し付けてロール紙５の滑りを止めるので、更に手を下げて可動板３の切刃３Aでロール紙５を切る。なお、回転軸３Bには回転アーム４を設け、ロール紙５をセット（取り回し）するとき、回転アーム４を手前に回転させて可動板３を手元近くに引き出しセット作業を容易にした。【選択図】図２
2015080529.tif 000002
【特許請求の範囲】
【請求項１】
切断機能付ロールペーパーホルダーにおいて、ホルダー内の上部に回転軸を持つ可動板を設け、その可動板は回転軸より奥の先端に紙押さえ部を、回転軸より手前の先端に切刃を設けてほぼ水平に設置し、回転軸から紙押さえ部までの寸法（または重さ）と回転軸から切刃までの寸法（または重さ）の比を１：１．５±０．５に設定し、可動板の梃子の作用で常に紙押さえ部がホルダーの上蓋下面に接することにより、紙押さえ部と上蓋下面の間に通したロール紙を引き出すときロール紙の摺動抵抗を生じさせ、かつ、可動板の回転軸には回転アームを設け、その回転アームを手前に回転させることにより、ロール紙をホルダーにセットするとき可動板を手元近くに引き出し、かつ、可動板の上に戻り止め軸を設け、その戻り止め軸の形状をクランク形状にすることにより、可動板と戻り止め軸の間に通したロール紙を引き出すときと切り終わったロール紙の戻りを止めるとき戻り止め軸の自重によるロール紙の摺動抵抗を生じさせ、ロール紙のセット作業で戻り止め軸と紙押さえ部が干渉するとき戻り止め軸のクランクが回転して干渉を回避することを特徴とする切断機能付ロールペーパーホルダー。
【請求項２】
前記可動板の紙押さえ部の代わりに可動板の下に支え軸を設け、その支え軸は可動板の回転軸と切刃の中間を上に乗せる状態に設置し、常に支え軸の上面に可動板の自重をかけることにより、支え軸と可動板の間に通したロール紙を引き出すとき可動板の自重によるロール紙の摺動抵抗を生じさせ、ロール紙の取り回しで支え軸および回転軸に接するロール紙の屈曲角度を大きくすることを特徴とする請求項１記載の切断機能付ロールペーパーホルダー。
【請求項３】
前記ホルダー内の下部に吊り下げプレートを設け、その吊り下げプレートは吊り下げフックと吊り下げ回転軸を持ち、回転アームと接続して、吊り下げプレートを手前に回転させることにより、ロール紙をホルダーにセットするとき可動板と吊り下げフックを手元近くに引き出すことを特徴とする請求項１記載の切断機能付ロールペーパーホルダー。
【発明の詳細な説明】
【技術分野】
【０００１】
本発明は、主として片手でロール状の紙を切るペーパーホルダーに関するものである。
【背景技術】
【０００２】
従来の切断機能付ロールペーパーホルダーには、スプリングの力を用いてロール紙の滑りを止めてロール紙を切る構造のものがある。（例えば、非特許文献１参照）
また、引き出したロール紙を操作してロール紙の滑りを止めてロール紙を切る構造のものがある。（例えば、特許文献１、特許文献２参照）
さらに、磁石の磁着力を用いてロール紙の滑りを止めてロール紙を切る構造のものがある。（例えば、特許文献３参照）
【０００３】
以下、図１５〜図２０により従来の切断機能付ロールペーパーホルダーについて説明する。
【０００４】
非特許文献１の従来技術は図１５に示すように、上蓋１６は先端に切刃１６Aを持ち可動可能な軸でホルダー１に取り付けている。また、上蓋１６はスプリング１７と接続し、そのスプリング１７の力でロール紙５の外周を押えている。
片手で操作してロール紙５を切るときは、つまんだロール紙５を引き出した後、その手を上げて上蓋１６の先端の切刃１６Aでロール紙を切る。つまり、上蓋１６がスプリング１７の力を用いてロール紙５の外周を押さえているので、ロール紙５が滑ることなくロール紙５を切ることができる。
しかし、取扱説明書には「紙の残量が少なくなった場合や紙の質や切り方により、切りにくい場合があります」と注意書きが記載されている。
なお、切り終わったロール紙５の端が上蓋１６の下にあり、次に使用するとき片手で上蓋１６を上げながら下のロール紙５をつかむことは難しい。
【０００５】
特許文献１に記載されている従来技術は図１６に示すように、上蓋１６は先端上部に切り歯１６A、先端下部に押え歯１６Bを持ち、中央部にはスリット状の切欠き穴１８を持ち可動可能な軸でホルダー１に取り付けている。
ロール紙５の取り回しは、ロール紙５の端を下からスリット状切欠穴１８を通して上蓋１６の上に出し、先端の切り歯１６Aで止める。
片手で操作してロール紙５を切るときは、つまんだロール紙５を引き出した後、その手を下方に動かすと上蓋１６でロール紙５の外周を押さえ付ける状態になりロール紙５の滑りが止まる。更に手を下げて上蓋１６の切り歯１６Aでロール紙５を切る。
なお、切り終わったロール紙５の端は上蓋１６の上に残るので、次に使用するとき片手でロール紙５をつまんで引き出すことができる。
【０００６】
特許文献２に記載されている従来技術は図１７に示すように、受圧棒２１は支持腕２３を介してホルダー１上部の側面に取り付けている。切断板２２は中央部に回転軸２２B、上端に押圧部２２C、下端に切断刃２２Aを持ち、ホルダー１の手前側面に取り付けている。
ロール紙５の取り回しは、上から受圧棒２１と押圧部２２Cの間を下に通し切断刃２２Aの奥に垂れ下げている。
片手で操作してロール紙５を切るときは、切断刃２２Aの奥に垂れ下がっているロール紙５の端をつまんで下方に引き出した後、その手を手前方向に動かすと梃子の作用により、押圧部２２Cでロール紙５を受圧棒２１に押さえ付ける状態になりロール紙５の滑りが止まる。更に手を上方向にあげて切断刃２２Aでロール紙５を切る。
なお、切り終わったロール紙５の端は切断刃２２Aの奥に垂れ下がるので、次に使用するとき片手でロール紙５をつまんで引き出すことができる。
【０００７】
特許文献３に記載されている従来技術は図１８に示すように、紙受け台３１は先端部に磁石の磁力を受ける磁着面３２と突起部３６を持ちホルダー１の側面に取り付けている。回動アーム３３は先端部に磁石を内蔵した磁石部材３４と、磁着を解除するピンチレバー３５を持ち、ホルダー１の側面に可動可能な軸で取り付けている。
ロール紙５の取り回しは、ロール紙５を紙受け台３１に沿わせて磁石部材３４と磁着面３２の間まで通し、常時磁着面３２でロール紙５を磁着した状態にしている。
片手で操作してロール紙５を切るときは、ピンチレバー３５をつまんで磁着面３２の磁着を解除し、回動アーム３３を持ち上げてロール紙５を引き出す。次に回動アーム３３を下げてロール紙５を磁着面３２で磁着し、突起部３６にロール紙５を強く圧迫して切る。
【０００８】
以上の内容を整理すると、最初の２つ非特許文献１と特許文献１は、ホルダーの上蓋を使用している共通点があるが、標準サイズのトイレットペーパーは、紙の使いはじめと使い終わりで直径が約１／２．５（１００〜１１０mmから４０mm）に変化し、図１９に示すように上蓋の角度が約２８°変化する。また、重さは約１／１７（１２０〜１３０ｇから７ｇ）に変化し、摺動抵抗（ロール紙を引き出すときの抵抗）は約１／４（１２〜１５ｇから３〜４ｇ）に変化する。
したがって、上蓋でロール紙の外周を押さえて上蓋先端の切刃でロール紙を切る方法は、ロール紙の直径の変化、重さの変化、摺動抵抗の変化が大きいため、ロール紙の使いはじめは良くても、ロール紙の量が少なくなると切刃の角度が変ったりロール紙が滑って切りにくくなるという問題を抱えている。
【０００９】
また、引き出したロール紙を上に操作して上蓋先端の切刃でロール紙を切る方法は、切り終わったロール紙の端が上蓋の下になり、次に使用するとき片手で上蓋を上げながら下のロール紙をつかむことは難しい。
【００１０】
特許文献２の受圧棒と切断板を使用した方法は、ロール紙の切断を切断刃に設定し常に定点で行うため、ロール紙の直径が変化しても切断刃の角度は影響を受けない。しかし、ロール紙の使いはじめは良くても、図２０で示すようにロール紙が少なくなりロール紙の摺動抵抗が小さくなると、ロール紙を切る操作をしてもロール紙が滑って切断板が作動しない可能性がある。
【００１１】
切り終わったロール紙の端が切断刃の奥にあるので見えにくい、つかみにくい。また、垂れ下がっているロール紙の見栄えがよくない。
【００１２】
また、片手用の装置が手前側に出ているので奥行き寸法が約１６ｃｍとやや大きい。市販品のホルダーの奥行き寸法は１０〜１２ｃｍであり、狭いトイレに設置することを考えると数センチでも小さい方がよい。
【００１３】
特許文献３の磁石を用いた方法は、ロール紙の直径の変化、重さの変化、摺動抵抗の変化共、影響を受けないでロール紙の滑りを止めてロール紙を切ることができる。しかし、構造が複雑になり初めて使う人に使い方がわかりにくい。
【００１４】
また、片手用の装置が手前側に出ているので折りたたんでも奥行き寸法が約１７ｃｍと大きく、手前に突き出た部品類が狭いトイレでは邪魔になる。
【先行技術文献】
【特許文献】
【００１５】
【特許文献１】特開２００５−３１２８７４号公報
【特許文献２】特開２０１１−１５２３９３号公報
【特許文献３】特開２００９−２８５１２３号公報
【非特許文献】
【００１６】
【非特許文献１】市販品のワンハンドカット機能付ペーパーホルダーを分解調査
【発明の概要】
【発明が解決しようとする課題】
【００１７】
以上に述べた従来の切断機能付ロールペーパーホルダーでは、上蓋でロール紙の外周を押さえて上蓋先端の切刃でロール紙を切る方法は、ロール紙の直径の変化、重さの変化、摺動抵抗の変化が大きいため、ロール紙の使いはじめは良くても、ロール紙の量が少なくなると、切刃の角度が変ったりロール紙が滑って切りにくくなるという問題があった。
【００１８】
引き出したロール紙を上に操作して上蓋先端の切刃で切る方法は、切り終わったロール紙の端が上蓋の下になり、次に使用するとき片手で上蓋を上げながら下のロール紙をつかむことは難しいという問題があった。
【００１９】
受圧棒と切断板を使用した方法は、ロール紙が少なくなりロール紙の摺動抵抗が小さくなると、ロール紙を切る操作をしてもロール紙が滑って切断板が作動しない可能性があるという問題があった。
【００２０】
切り終わったロール紙の端が切断刃の奥にあるので見えにくい、つかみにくい。また、垂れ下がっているロール紙の見栄えがよくないという問題があった。
【００２１】
磁石を用いた方法は、構造が複雑になり初めての人に使い方が分かりにくいという問題があった。
【００２２】
片手用の装置が手前側に出ていると、奥行き寸法が大きくなり狭いトイレでは邪魔になるという問題があった。
【００２３】
本発明は、このような従来の構成が有していた問題を解決しようとするものであり、
・片手で容易にロール紙をつまんで引き出すことができること
・片手で容易にロール紙の滑りを止めてロール紙を切ることができること
・片手で容易にロール紙の交換、セット（取り回し）ができること
・ホルダーの奥行き寸法は現状の市販品と同等であること
以上を実現することを目的とするものである。
【課題を解決するための手段】
【００２４】
本発明に係る切断機能付ロールペーパーホルダーは、上記目的を達成するために、ホルダー内の上部に回転軸を持つ可動板を設け、その可動板は回転軸より奥の先端に紙押さえ部を、回転軸より手前の先端に切刃を設けてほぼ水平に設置し、回転軸から紙押さえ部までの寸法（または重さ）と回転軸から切刃までの寸法（または重さ）の比を１：１．５±０．５に設定し、可動板の梃子の作用で常に紙押さえ部がホルダーの上蓋下面に接することにより、紙押さえ部と上蓋下面の間に通したロール紙を引き出すときロール紙の摺動抵抗を生じさせ、かつ、可動板の回転軸には回転アームを設け、ロール紙をホルダーにセットするとき回転アームを手前に回転させて可動板を手元近くに引き出し、かつ、可動板の上に戻り止め軸を設け、その戻り止め軸の形状をクランク形状にすることにより、可動板と戻り止め軸の間に通したロール紙を引き出すときと切り終わったロール紙の戻りを止めるとき戻り止め軸の自重によるロール紙の摺動抵抗を生じさせ、ロール紙のセット作業で戻り止め軸と紙押さえ部が干渉するとき戻り止め軸のクランクが回転して干渉を回避することを特徴とする。
【００２５】
ロール紙の取り回しは、ロール紙を可動板の紙押さえ部とホルダーの上蓋下面の間に通し、戻り止め軸と可動板の間に通し、可動板の手前先端で止めるものである。
【００２６】
さらに、前記可動板の紙押さえ部の代わりに可動板の下に支え軸を設け、その支え軸は可動板の回転軸と切刃の中間を上に乗せる状態に設置し、常に支え軸の上面に可動板の自重をかけることにより、支え軸と可動板の間に通したロール紙を引き出すとき可動板の自重によるロール紙の摺動抵抗を生じさせ、ロール紙の取り回しで支え軸および回転軸に接するロール紙の屈曲角度を大きくすることを特徴とする。
【００２７】
ロール紙の取り回しは、ロール紙を支え軸と可動板の間に通し、回転軸の上で手前に折り返し、戻り止め軸と可動板の間に通し、可動板の手前先端で止めるものである。
【００２８】
さらに、前記ホルダー内の下部に吊り下げプレートを設け、その吊り下げプレートは吊り下げフックと吊り下げ回転軸を持ち、回転アームと接続して、吊り下げプレートを手前に回転させることにより、ロール紙をホルダーにセットするとき可動板と吊り下げフックを手元近くに引き出すことを特徴とする。
【００２９】
ロール紙の取り回しは、ロール紙を可動板の紙押さえ部とホルダーの上蓋下面の間に通し、戻り止め軸と可動板の間に通し、可動板の手前先端で止めるものである。
【発明の効果】
【００３０】
本発明の効果は上記のような解決の手段を有することによって、片手で操作してロール紙を切るときは、ロール紙をつまんで引き出し、その手を下方に動かすとロール紙が切れる。すなわち、可動板の上にあるロール紙をつまんで手前に引き出しその手を下方に動かすと、可動板の梃子の作用で可動板の紙押さえ部がロール紙をホルダーの上蓋下面に押し付けてロール紙の滑りを止める状態となり、更に手を下げると可動板の切刃でロール紙が切れる。
【００３１】
さらに、ロール紙の量が少なくなり摺動抵抗が小さくなっても、可動板の梃子比と、紙押さえ部に接するロール紙の屈曲角度と、戻り止め軸の自重によるロール紙の摺動抵抗で適度に摺動抵抗の大きさを調節しており、ロール紙の滑りを止めることができる。
【００３２】
さらに、ロール紙の量が少なくなり直径が小さくなっても、ロール紙の切断を可動板の切刃に設定して常に定点で行うため、切刃の角度は変わらない。
【００３３】
さらに、可動板の切刃は樹脂製で安全性の高い形状にしており、ロール紙をつかむとき切刃の部分に触れても危険性はない。
【００３４】
さらに、切り終わったロール紙の端は可動板の上にあるため、次に使用するとき片手で容易に可動板の上のロール紙をつまんで引き出すことができる。なお、戻り止め軸により切り終わったロール紙が切断の反動で奥に戻ることがない。
【００３５】
さらに、回転アームを手前に回転させ可動板を手元近くに引き出すことにより、片手で容易にロール紙をホルダーにセット（取り回し）することができる。
【００３６】
さらに、前記可動板の紙押さえ部の代わりに可動板の下に支え軸を設け、可動板の自重によるロール紙の摺動抵抗と、支え軸および回転軸に接するロール紙の屈曲角度を大幅に大きくすることにより、滑りやすい普通紙のロール紙が使用できる。
【００３７】
さらに、前記ホルダー内の下部に吊り下げプレートを設け、吊り下げフックにロール紙を吊り下げることにより、取付け初期のロール紙の摺動抵抗を底板に置くときより小さくできる。また、ホルダーの形状をコンパクトにできる。
【００３８】
さらに、片手用の装置はホルダー内に設けるため、奥行き寸法は従来と同じ１０〜１２ｃｍで製作可能である。
【００３９】
さらに、新しいロール紙の装填時やトイレの清掃時、ロール紙を１回切れば可動板の上に端がきれいに残るので、三角折を行う必要がない。
【００４０】
さらに、片手専用でなく両手でも使える。
【００４１】
さらに、両手が健常な人も、本発明に係るペーパーホルダーを片手で使う方が身体のひねりが小さいので楽である。
【００４２】
さらに、本発明に係るペーパーホルダーを台所、子供部屋、事務所等のテーブルに置いて、レンジの油汚れを拭き取る、汚れた食器を洗う前にひと拭きする、子供の食べこぼしを拭き取る、こぼしたお茶やコーヒー等を拭き取る、鼻をかむなどに使うことができる。
【００４３】
さらに、本発明に係るペーパーホルダーに普通紙のロール紙やレジスター用のロール紙等を装填し、買い物用のメモ用紙、子供の勉強用のメモ用紙、電話の横に置くメモ用紙などに使うことができる。
【図面の簡単な説明】
【００４４】
【図１】本発明の外観図
【図２】本発明の構造を示す図１のA―A断面図
【図３】戻り止め軸を示すイラスト図
【図４】ロール紙のセット手順１を示す側面の断面図
【図５】ロール紙のセット手順２を示す側面の断面図
【図６】ロール紙のセット手順３を示す側面の断面図
【図７】ロール紙のセット手順４を示す外観図
【図８】変形例１の構造を示す側面の断面図
【図９】レジスター用ロール紙の２連装填例を示す外観図
【図１０】変形例２の構造を示す側面の断面図
【図１１】変形例２ロール紙のセット手順１を示す側面の断面図
【図１２】変形例２ロール紙のセット手順２を示す側面の断面図
【図１３】変形例２ロール紙のセット手順３を示す側面の断面図
【図１４】変形例２ロール紙のセット手順４を示す外観図
【図１５】非特許文献１の従来技術を示す外観図
【図１６】特許文献１の従来技術を示す外観図
【図１７】特許文献２の従来技術を示す断面図
【図１８】特許文献３の従来技術を示す外観図
【図１９】上蓋の角度の変化を示すイラスト図
【図２０】紙の量が少ない時の摺動抵抗を示すイラスト図
【発明を実施するための形態】
【００４５】
以下、本発明の実施の形態を図１〜図１４に基づいて説明する。
【００４６】
以下、図２により説明する。なお、図２は図１のAーA断面を示したものである。
ホルダー１内の上部に回転軸３Bを持つ可動板３を設け、その可動板３は回転軸３Bより奥の先端に紙押さえ部３Cを、回転軸３Bより手前の先端に切刃３Aを設けてほぼ水平に設置し、回転軸３Bから紙押さえ部３Cまでの寸法（または重さ）と回転軸３Bから切刃３Aまでの寸法（または重さ）の比を１：１．５±０．５に設定し、可動板３の梃子の作用で常に紙押さえ部３Cがホルダー１の上蓋下面１Aに接することにより、紙押さえ部３Ｃと上蓋下面１Ａの間に通したロール紙５を引き出すときロール紙５の摺動抵抗を生じさせる。
【００４７】
かつ、可動板３の回転軸３Bには回転アーム４を設け、その回転アーム４を手前に回転させることにより、ロール紙５をホルダーにセットするとき可動板３を手元近くに引き出す。
【００４８】
かつ、可動板３の上に戻り止め軸８を設け、その戻り止め軸８の形状を図３に示すようにクランク形状にすることにより、可動板３と戻り止め軸８の間に通したロール紙５を引き出すときと切り終わったロール紙５の戻りを止めるとき戻り止め軸８の自重によるロール紙５の摺動抵抗を生じさせる。また、ロール紙５のセット作業で戻り止め軸８と紙押さえ部３Ｃが干渉するとき戻り止め軸８のクランクが回転して干渉を回避する。
【００４９】
ロール紙５の取り回しは、可動板３の紙押さえ部３Cとホルダー１の上蓋下面１Aの間に通し、戻り止め軸８と可動板３の間に通し、可動板３の手前先端で止めるものである。
【００５０】
このような構成を有することにより、片手で操作してロール紙５を切るときは、ロール紙５をつまんで引き出して、その手を下方に動かし切刃３Aでロール紙５を切る。すなわち、可動板３の上にあるロール紙５を紙つかみ口２からつまんで手前に引き出した後、その手を下方に動かすと、可動板３の梃子の作用で可動板３の紙押さえ部３Cがロール紙５をホルダー１の上蓋下面１Aに押し付けてロール紙５の滑りを止めるので、更に手を下げて可動板３の切刃３Aでロール紙５を切る。
【００５１】
ロール紙５の量が少なくなり摺動抵抗（ロール紙を引き出すときの抵抗）が小さくなっても、可動板３の梃子比と、紙押さえ部３Cに接するロール紙５の屈曲角度（ロール紙が折れ曲がる角度）と、戻り止め軸８の自重によるロール紙５の摺動抵抗で適度に摺動抵抗の大きさを調節しており、ロール紙５の滑りを止めることができる。
【００５２】
また、ロール紙５の直径が小さくなっても、ロール紙５の切断を可動板３の切刃３Aに設定して常に定点で行うため、切刃３Aの角度は変わらない。
【００５３】
さらに、可動板３の切刃３Aは樹脂製で安全性の高い形状にしており、ロール紙５をつかむとき切刃３Aの部分に触れても危険性はない。
【００５４】
切り終わったロール紙５の端は可動板３の上にあるため、次に使用するとき片手で容易に可動板３の上のロール紙５をつまんで引き出すことができる。なお、戻り止め軸８により切り終わったロール紙５が切断の反動で奥に戻ることがない。
【００５５】
ロール紙５をホルダー１にセット（取り回し）するとき、回転アーム４を手前に回転させ可動板３を手元近くに引き出すことにより、片手で容易にロール紙５をホルダー１にセット（取り回し）することができる。その方法は、
【００５６】
可動板３をつかんで手前に引き出す。（図４に示す状態）
【００５７】
新しいロール紙５をホルダー１に入れる。（図５に示す状態）
【００５８】
可動板３とロール紙５を一緒につかみ元のホルダー位置に戻す。（図６に示す状態）
【００５９】
垂れ下がっているロール紙５を切刃３Ａで切るとセット作業が終了する。（図７に示す状態）
【００６０】
なお、可動板３をホルダー１から出し入れするとき、戻り止め軸８と紙押さえ部３Ｃが干渉するが戻り止め軸８のクランクが回転して干渉を回避する。また、ホルダー１に入れるロール紙５の巻き方向は、時計回り巻き、反時計回り巻きのどちらでも良い。
【００６１】
本発明に係るペーパーホルダーは台所、子供部屋、事務所等のテーブルに置いて、レンジの油汚れを拭き取る、汚れた食器を洗う前にひと拭きする、子供の食べこぼしを拭き取る、こぼしたお茶やコーヒー等を拭き取る、鼻をかむなどにも使える。
【００６２】
以下、本発明の変形例の実施の形態を図８〜図１４にて説明する。
【００６３】
変形例１は図８に示すように、前記可動板３の紙押さえ部３Ｃの代わりに可動板３の下に支え軸９を設け、その支え軸９は可動板３の回転軸３Ｂと切刃３Ａの中間を上に乗せる状態に設置し、常に支え軸９の上面に可動板３の自重をかけることにより、支え軸９と可動板３の間に通したロール紙５を引き出すとき可動板３の自重によるロール紙５の摺動抵抗を生じさせる。また、ロール紙５の取り回しで支え軸９および回転軸３Ｂに接するロール紙５の屈曲角度を大きくするものである。
【００６４】
ロール紙５の取り回しは、ロール紙５を支え軸９と可動板３の間に通し、回転軸３Bの上で手前に折り返し、戻り止め軸８と可動板３の間に通し、可動板３の手前先端で止めるものである。
【００６５】
このような構成を有することにより、片手で操作してロール紙５を切るときは、可動板３の上にあるロール紙５を紙つかみ口２からつまんで手前に引き出した後、その手を下方に動かすと、可動板３の梃子の作用で可動板３の下面がロール紙５を支え軸９に押し付けてロール紙５の滑りを止めるので、更に手を下げて切刃３Aでロール紙５を切る。
【００６６】
支え軸９はロール紙５の摺動抵抗を大幅に大きくすることが出来るので、滑りやすいロール紙５を使用する時に有効である。
【００６７】
ロール紙５をホルダー１にセット（取り回し）する方法は、前記本発明の実施の形態に記述したものと同一で、可動板３をつかんで手前に引き出し、新しいロール紙５をホルダー１に入れ、可動板３とロール紙５を一緒につかみ元のホルダー位置に戻し、垂れ下がっているロール紙５を切刃３Ａで切るとセット作業が終了する。
なお、可動板３をホルダー１から出し入れするとき、戻り止め軸８と回転軸３Ｂが干渉するが戻り止め軸８のクランクが回転して干渉を回避する。また、ホルダー１に入れるロール紙５の巻き方向は、時計回り巻き、反時計回り巻きのどちらでも良い。
【００６８】
本発明に係るペーパーホルダーは滑りやすい普通紙のロール紙やレジスター用のロール紙等を装填し、買い物用のメモ用紙、子供の勉強用のメモ用紙、電話の横に置くメモ用紙などにも使える。図９はレジスター用のロール紙を横に２連装填した例を示す外観図である。
【００６９】
変形例２は図１０に示すように、前記ホルダー１内の下部に吊り下げプレート１０を設け、その吊り下げプレート１０は吊り下げフック１０Aと吊り下げ回転軸１０Bを持ち、回転アーム４と接続して、吊り下げプレート１０を手前に回転させることにより、ロール紙５をホルダー１にセットするとき可動板３と吊り下げフック１０Aを手元近くに引き出すものである。
【００７０】
ロール紙５の取り回しは、ロール紙５を可動板３の紙押さえ部３Cとホルダー１の上蓋下面１Aの間に通し、戻り止め軸８と可動板３の間に通し、可動板３の手前先端で止めるものである。
【００７１】
ホルダー１内の下部に吊り下げプレート１０を設け、吊り下げフック１０Aにロール紙５を吊り下げることにより、取付け初期のロール紙５の摺動抵抗を底板７に置くときより小さくできる。また、ホルダー１の形状をコンパクトにできる。
【００７２】
ロール紙５をホルダー１にセット（取り回し）するとき、可動板３と吊り下げフック１０Aを手元近くに引き出すことにより、片手で容易にロール紙５をホルダー１にセット（取り回し）することができる。その方法は、
【００７３】
可動板３をつかんで手前に引き出す。（図１１に示す状態）
【００７４】
新しいロール紙５を吊り下げフック１０Aに取り付ける。（図１２に示す状態）
【００７５】
可動板３とロール紙５を一緒につかみ元のホルダー位置に戻す。（図１３に示す状態）
【００７６】
垂れ下がっているロール紙５を切刃３Ａで切るとセット作業が終了する。（図１４に示す状態）
【００７７】
なお、可動板３をホルダー１から出し入れするとき、戻り止め軸８と紙押さえ部３Ｃが干渉するが戻り止め軸８のクランクが回転して干渉を回避する。また、吊り下げフック１０Aに取り付けるロール紙５の巻き方向は、時計回り巻き、反時計回り巻きのどちらでも良い。
【００７８】
片手で操作してロール紙５を切るときは、前記本発明の実施の形態に記述したものと同一で、可動板３の上にあるロール紙５をつまんで手前に引き出した後、その手を下方に動かすと、可動板３の梃子の作用で紙押さえ部３Cがロール紙５を上蓋下面１Aに押し付けてロール紙５の滑りを止めるので、更に手を下げて切刃３Aでロール紙５を切る。
【符号の説明】
【００７９】
１    ホルダー
１A  上蓋下面
２    紙つかみ口
３    可動板
３A  切刃
３B  回転軸
３C  紙押さえ部
４    回転アーム
５    ロール紙
６    ストッパー軸
７    底板
８    戻り止め軸
９    支え軸
１０   吊り下げプレート
１０A  吊り下げフック
１０B  吊り下げ回転軸
【図１】
2015080529.tif 000003
【図２】
2015080529.tif 000004
【図３】
2015080529.tif 000005
【図４】
2015080529.tif 000006
【図５】
2015080529.tif 000007
【図６】
2015080529.tif 000008
【図７】
2015080529.tif 000009
【図８】
2015080529.tif 000010
【図９】
2015080529.tif 000011
【図１０】
2015080529.tif 000012
【図１１】
2015080529.tif 000013
【図１２】
2015080529.tif 000014
【図１３】
2015080529.tif 000015
【図１４】
2015080529.tif 000016
【図１５】
2015080529.tif 000017
【図１６】
2015080529.tif 000018
【図１７】
2015080529.tif 000019
【図１８】
2015080529.tif 000020
【図１９】
2015080529.tif 000021
【図２０】
2015080529.tif 000022